(57)【特許請求の範囲】
【請求項１】
下梁、上梁、柱で構成され、前記柱の屋外側面が前記梁の屋外面より屋内側に配置された間口の屋外側に設置される外壁下地パネルであって、該外壁下地パネルが、
前記間口の屋外側に配置されて前記柱に当接する一対の縦胴縁と、
該一対の縦胴縁の間に架設された複数の横胴縁と、
前記縦胴縁と横胴縁で囲まれた領域に設けられた断熱材とを備えたことを特徴とする外壁下地パネル。
【請求項２】
前記縦胴縁の間に設けた最上部の横胴縁の上面と最下部の横胴縁の下面の少なくとも一方に断熱材又は上端部横胴縁若しくは下端部横胴縁を設けたことを特徴とする請求項１記載の外壁下地パネル。
【請求項３】
最下部の横胴縁又は該横胴縁の下面に設けた下端部横胴縁の屋内側に支持部材を設けたことを特徴とする請求項１の外壁下地パネル。
【請求項４】
屋外側に合板又は吸放湿性若しくは透湿性を有する前面被覆材を設けたことを特徴とする請求項１〜３のいずれかに記載の外壁下地パネル。
【請求項５】
建物躯体の下梁と上梁との間に該下梁と上梁の幅より狭い幅の複数の柱が設置されて、これら柱で形成された間口の屋外側に装着される外壁下地パネルであって、該外壁下地パネルを、
前記下梁のほぼ下面あるいは上面から前記上梁のほぼ上面にわたる高さで、前記間口にほぼ対応する幅の合板と、
前記合板の屋内側において前記下梁のほぼ上面から前記上梁のほぼ下面にわたる高さの範囲に設けられた複数の横胴縁と、
前記合板の屋内側の上端部に設けられて前記上梁の上面に直接あるいはスペーサを介して係止し又は上梁の屋外側面に当接又は近接する上端部横胴縁と、
前記横胴縁の両端部に該横胴縁の屋内側面と同一平面となるように設けられ、前記間口の屋外側に設置されて前記柱に当接する一対の縦胴縁と、
前記縦胴縁と横胴縁で囲まれた領域、前記縦胴縁の下方及び上方において、その屋内側面が前記横胴縁の屋内側面より屋外側に位置して前記合板に取付けられた断熱材とによって構成したことを特徴とする外壁下地パネル。
【請求項６】
前記縦胴縁の下端部の下面又は該縦胴縁の下部に設置された横胴縁の下面が、直接または支持部材を介して前記下梁の上面に載置されることを特徴とする請求項１〜５のいずれかに記載の外壁下地パネル。
【請求項７】
前記縦胴縁が断面Ｌ字状であって、その屋内側面が幅方向に張り出すことを特徴とする請求項１〜６のいずれかに記載の外壁下地パネル。
【請求項８】
前記断熱材の前記縦胴縁上端部の上方または下端部の下方部分が、前記縦胴縁の外縁端間の幅とほぼ等しい幅まで拡張されていることを特徴とする請求項１〜７のいずれかに記載の外壁下地パネル。
【請求項９】
前記上端部横胴縁の両端部に屋内側面が上階の柱に当接する固定部材を設けたことを特徴とする請求項５〜８のいずれかに記載の外壁下地パネル。
【請求項１０】
前記上端部横胴縁及び下端部横胴縁の少なくとも一方が、前記縦胴縁の外縁端間の幅とほぼ等しい幅まで拡張されていることを特徴とする請求項５〜８のいずれかに記載の外壁下地パネル。
【請求項１１】
前記縦胴縁の上部に切り欠き部を設けると共に、該上部を前記合板とほぼ同じ高さまで延長したことを特徴とする請求項５〜１０のいずれかに記載の外壁下地パネル。
【請求項１２】
前記合板又は前面被覆材の屋外側面に通気用縦胴縁を設けたことを特徴とする請求項５〜１１のいずれかに記載の外壁下地パネル。
【請求項１３】
前記上端部横胴縁の上面が前記合板よりも上方に突出され、該突出部と合板の上端部との間に係止部を形成したことを特徴とする請求項５〜１２のいずれかに記載の外壁下地パネル。
【請求項１４】
前記合板が、前記下端部に設置された横胴縁よりも下方に突出し、あるいは前記上端部横胴縁よりも上方に突出すると共に前記下端部に設置された横胴縁よりも下方に突出することを特徴とする請求項５〜１２のいずかに記載の外壁下地パネル。
【請求項１５】
請求項１〜１４のいずれかに記載の外壁下地パネルの施工方法であって、
前記外壁下地パネルを、設置されるべき間口の屋外側において下端部に設置された横胴縁を直接又は支持部材を介して前記下梁上又は鉄筋コンクリート基礎上に載置する工程と、
縦胴縁を柱の屋外側面に当接する工程と、
前記縦胴縁を柱に固定する工程とを備えたことを特徴とする外壁下地パネルの施工方法。
【請求項１６】
縦胴縁を柱に固定する工程において、柱の屋外側面の幅方向中央部に、使用するタッピンねじあるいはボルトに応じたマークあるいは先穴を設け、前記マークあるいは先穴を中心として設置された隣り合う外壁下地パネルの一方の縦胴縁とこれに隣接する他方の縦胴縁を跨いで固定用押え座金を当接し、該固定押え用座金を介してタッピンねじあるいはボルトを柱のマークあるいは先穴に各々螺入することを特徴とする請求項１５記載の外壁下地パネルの施工方法。
【請求項１７】
請求項１２の合板又は前面被覆材の屋外側に通気用縦胴縁を取付ける外壁下地パネルの施工方法であって、
外壁下地パネルの幅方向の任意の位置に、その長さを下部横胴縁の下面又は下端部近傍から上部横胴縁の上面までとした通気用縦胴縁を任意の時期に各横胴縁に固定する工程と、
上下階のパネルおよび梁部断熱材を建物躯体に取付けた後、上階があるパネルについて、その長さを下部横胴縁の下面又は下端部近傍から上階パネルの下端部横胴縁の上面までとした通気用縦胴縁を、隣接するパネル間に跨いで各横胴縁、上下端横胴縁及び上階パネルの下端部横胴縁に固定する工程と、
上階のないパネルについて、その長さを下部横胴縁の下面から上部横胴縁の上面以上とした通気用縦胴縁を、隣接するパネル間に跨いで各横胴縁、上下端横胴縁に固定する工程と、
上下階パネルの中間に位置する梁部に断熱材を取付け後、上下階パネルの幅方向の任意の位置に取付けられた通気用縦胴縁の位置に合わせて、その長さを上階パネルの下端部横胴縁の上面から下階パネルの上端部横胴縁の下面とした通気用縦胴縁を取付ける工程と、
最上階に位置する梁部に断熱材を取付けた後、必要に応じて、上端部横胴縁から上部に延長された任意の長さの通気用縦胴縁を取付ける工程とを備えたことを特徴とする外壁下地パネルの施工方法。
【発明の詳細な説明】
【０００１】
【発明の属する技術分野】
本発明は、建物躯体の屋外側に設置する外壁下地パネル及びその施工方法に関するものである。
【０００２】
【従来の技術】
近時、在来木造住宅の躯体部分を鉄骨に置き換えた住宅が普及しはじめた。
図２０はこのような住宅の建物躯体に外壁下地材を取付けた状態を示す一部を省略した斜視図、図２１はその建物躯体部分を示す斜視図、図２２は図２０の平断面図である。なお、以下の説明では建物躯体側を屋内側、外壁下地材を取付ける側を屋外側という。
【０００３】
図に示すように、鉄筋コンクリート基礎２１上に設置されたＨ形断面の鋼材からなる土台２２（下梁）と、同じくＨ形断面の鋼材からなる２階床梁２３（上梁）との間において、土台２２及び２階床梁２３の幅方向の中心部に、一辺の幅がこれらの上面の幅より狭い角形断面の鋼材からなる柱２５ａ，２５ｂが所定の間隔で設けられている。
そして、隣接する柱２５ａ，２５ｂの対向面及び両者の中間部には、一方のフランジを土台２１の屋外側と同一平面にしてリップ溝形鋼からなる受け材３０ａ及び間柱３０ｂが設けられており、柱２５ａ，２５ｂ及び中間部の間柱３０ｂは、接合金物３２ａ，３２ｂを介してボルトにより土台２１及び２階床梁２３に固定されている。
【０００４】
３３（図２１（ａ）参照）は隣接する柱２５ａ，２５ｂの上部と下部に交叉して×状に取付けられたブレースで、このブレース３３の取付けにあたっては、中間部に設けた間柱３０ｂが干渉するため、この間柱３０ｂのウェブには、図２１（ｂ）に示すように、ブレース３３を通すための貫通穴３１が設けられている。なお、柱２５ａ，２５ｂの対向面に取付ける受け材３０ａは、その上下が柱２５ａ，２５ｂに設けたブレース３３の取付金具が干渉するため、その部分を切除してウェブをタッピンねじ等により柱２５ａ，２５ｂに固定している。
【０００５】
上記のような建物躯体に外壁下地材３５を取付けるには、先ず、合板３６を受け材３０ａ、間柱３０ｂの屋外側のフランジに当接してタッピンねじ等で接合し、その屋外側に板状の断熱材３７を接合する。ついで、断熱材３７の屋外側に気密シート３８を配設し、その屋外側に受け材３０ａ、間柱３０ｂに対応して通気用縦胴縁３９を設置して、これらを一体にしてタッピンねじ、釘等により受け材３０ａ、間柱３０ｂに固定する。最後に通気用縦胴縁３９の屋外側にサイディング等の仕上材４０を取付ければ、施工を終了する。なおこのとき、気密シート３８と仕上材４０との間には、通気スペース４１が形成される。
【０００６】
下地に合板３６を用いずに直接断熱材３７を取り付けて構成する場合も合板３６の取り付け部分以外は同様の手順で施工する。また、受け材３０ａを省略して柱と同じせいの形鋼による間柱３０ｂを用い、柱２５ａ，２５ｂ及び間柱３０ｂと土台２２のフランジ等との幅の差を、柱２５ａ，２５ｂ及び間柱３０ｂの屋外側面にスペーサを用いて対応する場合も、合板３６の取り付け工程をスペーサー取り付けの工程に入れ替えた形で施工が行われている。
【０００７】
【発明が解決しようとする課題】
上記のような従来技術においては、土台２２のフランジ、２階床梁２３のフランジ及び柱２５ａ，２５ｂを固定する接合金物３２ａが柱よりも屋外側に突出しているため、外壁下地材３５を直接柱２５ａ，２５ｂに設置しようとするとこの部分が干渉する。外壁下地材３５の干渉する部分を切り欠く方法もあるが、加工が面倒である、所定の断熱性能が得られにくい等の問題もあり、このため、隣接する柱２５ａ，２５ｂの間に、屋外側のフランジを土台２２の屋外側と同一平面に位置させ、又は土台２２の屋外側から突出させて、それぞれ受け材３０ａ、間柱３０ｂを設置し、土台２２の屋外側に外壁下地材３５を設置している。
このため、受け材３０a、間柱３０ｂや固定金物を含めて部品点数が非常に多くなり、施工手間が多く、重量、コストも増加する。また、中間の間柱３０ｂにはブレース３３を通すための貫通穴３１を設けなければならないので、更なるコストアップになるばかりでなく、貫通穴３１にブレース３３を通して建て込まなければならないため、施工性も極めて悪い。
【０００８】
また、気密シート３８の施工は、継ぎ目の処理が面倒であり、確実に施工されていない場合には、気密性能の低下、内部への水分の侵入、通気スペース内の通気効果を損うなど、建物の耐久性上の問題に発展することもある。
外壁下地材３５の一部をパネル化した例もあるが、合板３６及び断熱材３７をパネル化するだけで、気密シート３８はパネルの取付後に施工する場合には、施工合理化の効果が低く、また、気密シート３８をパネルにあらかじめ先付けした場合は、継ぎ目の気密処理が困難であるという課題がある。
【０００９】
本発明は、上記の課題を解決するためになされたもので、間柱等の部品点数を大幅に減らすことができ、施工が容易でコストを低減することのできる外壁下地パネル及びその施工方法を提供することを目的としたものである。
【００１０】
【課題を解決するための手段】
（１）本発明に係る外壁下地パネルは、下梁、上梁、柱で構成され、前記柱の屋外側面が前記梁の屋外面より屋内側に配置された間口の屋外側に設置される外壁下地パネルであって、該外壁下地パネルが、前記間口の屋外側に配置されて前記柱に当接する一対の縦胴縁と、該一対の縦胴縁の間に架設された複数の横胴縁と、前記縦胴縁と横胴縁で囲まれた領域に設けられた断熱材とを備えたものである。
【００１１】
（２）上記（１）の縦胴縁の間に設けた最上部の横胴縁の上面と最下部の横胴縁の下面の少なくとも一方に断熱材又は上端部横胴縁若しくは下端部横胴縁を設けた。
（３）上記（１）の最下部の横胴縁又は該横胴縁の下面に設けた下端部横胴縁の屋内側に支持部材を設けた。
（４）上記（１）〜（３）のいずれかの屋外側に合板又は吸放湿性若しくは透湿性を有する前面被覆材を設けた。
【００１２】
（５）  本発明に係る外壁下地パネルは、建物躯体の下梁と上梁との間に該下梁と上梁の幅より狭い幅の複数の柱が設置されて、これら柱で形成された間口の屋外側に装着される外壁下地パネルであって、該外壁下地パネルを、前記下梁のほぼ下面あるいは上面から前記上梁のほぼ上面にわたる高さで、前記間口にほぼ対応する幅の合板と、前記合板の屋内側において前記下梁のほぼ上面から前記上梁のほぼ下面にわたる高さの範囲に設けられた複数の横胴縁と、前記合板の屋内側の上端部に設けられて前記上梁の上面に直接あるいはスペーサを介して係止し又は上梁の屋外側面に当接又は近接する上端部横胴縁と、前記横胴縁の両端部に該横胴縁の屋内側面と同一平面となるように設けられ、前記間口の屋外側に設置されて前記柱に当接する一対の縦胴縁と、前記縦胴縁と横胴縁で囲まれた領域、前記縦胴縁の下方及び上方において、その屋内側面が前記横胴縁の屋内側面より屋外側に位置して前記合板に取付けられた断熱材とによって構成したものである。
【００１３】
（６）上記（１）〜（５）のいずれかの縦胴縁の下端部の下面又は該縦胴縁の下部に設置された横胴縁の下面が、直接または支持部材を介して前記下梁の上面に載置されるようにした。
（７）上記（１）〜（６）のいずれかの縦胴縁が断面Ｌ字状であって、その屋内側の面が幅方向に張り出すようにした。
（８）上記（１）〜（７）のいずれかの断熱材の前記縦胴縁上端部の上方または下端部の下方部分が、前記縦胴縁の外縁端間の幅とほぼ等しい幅まで拡張した。
【００１４】
（９）上記（５）〜（８）のいずれかの上端部横胴縁の両端部に屋内側面が上階の柱に当接する固定部材を設けた。
（１０）上記（５）〜（８）のいずれかの上端部横胴縁及び下端部横胴縁の少なくとも一方を、前記縦胴縁の外縁端間の幅とほぼ等しい幅まで拡張した。
（１１）上記（５）〜（１０）のいずれかの縦胴縁の上部に切り欠き部を設けると共に、該上部を前記合板とほぼ同じ高さまで延長した。
【００１５】
（１２）上記（５）〜（１１）のいずれかの合板又は前面被覆材の屋外側面に通気用縦胴縁を設けた。
（１３）上記（５）〜（１２）のいずれかの上端部横胴縁の上面が前記合板よりも上方に突出され、該突出部と合板の上端部との間に係止部を形成した。
（１４）上記（５）〜（１２）のいずれかの合板が、前記下端部に設置された横胴縁よりも下方に突出し、あるいは前記上端部横胴縁よりも上方に突出すると共に前記下端部に設置された横胴縁よりも下方に突出する。
【００１６】
（１５）本発明に係る外壁下地パネルの施工方法は、上記（１）〜（１４）のいずれかの外壁下地パネルの施工方法であって、外壁下地パネルを、設置されるべき間口の屋外側において下端部に設置された横胴縁を直接又は支持部材を介して前記下梁上又は鉄筋コンクリート基礎上に載置する工程と、縦胴縁を柱の屋外側面に当接する工程と、前記縦胴縁を柱に固定する工程とを備えたものである。
【００１７】
（１６）上記（１５）の縦胴縁を柱に固定する工程において、柱の屋外側面の幅方向中央部に、使用するタッピンねじあるいはボルトに応じたマークあるいは先穴を設け、前記マークあるいは先穴を中心として設置された隣り合う外壁下地パネルの一方の縦胴縁とこれに隣接する他方の縦胴縁を跨いで固定用押え座金を当接し、該固定用押え座金を介してタッピンねじあるいはボルトを柱のマークあるいは先穴に各々螺入して固定した。
【００１８】
（１７）また、本発明に係る外壁下地パネルの施工方法は、上記（１２）の合板又は前面被覆材の屋外側に通気用縦胴縁を取付ける外壁下地パネルの施工方法であって、外壁下地パネルの幅方向の任意の位置に、その長さを下部横胴縁の下面又は下端部近傍から上部横胴縁の上面までとした通気用縦胴縁を任意の時期に各横胴縁に固定する工程と、上下階のパネルおよび梁部断熱材を建物躯体に取付けた後、上階があるパネルについて、その長さを下部横胴縁の下面又は下端部近傍から上階パネルの下端部横胴縁の上面までとした通気用縦胴縁を、隣接するパネル間に跨いで各横胴縁、上下端横胴縁及び上階パネルの下端部横胴縁に固定する工程と、上階のないパネルについて、その長さを下部横胴縁の下面から上部横胴縁の上面以上とした通気用縦胴縁を、隣接するパネル間に跨いで各横胴縁、上下端横胴縁に固定する工程と、上下階パネルの中間に位置する梁部に断熱材を取付け後、上下階パネルの幅方向の任意の位置に取付けられた通気用縦胴縁の位置に合わせて、その長さを上階パネルの下端部横胴縁の上面から下階パネルの上端部横胴縁の下面とした通気用縦胴縁を取付ける工程と、最上階に位置する梁部に断熱材を取付けた後、必要に応じて、上端部横胴縁から上部に延長された任意の長さの通気用縦胴縁を取付ける工程とを備えたものである。
【００１９】
【発明の実施の形態】
［実施の形態１］
図１は本発明の実施の形態１に係る外壁下地パネルを建物躯体に取付けた状態を示す一部を省略した斜視図、図２は下階の外壁下地パネルの屋内側を示す斜視図、図３は上階の外壁下地パネルの屋内側及び屋外側を示す斜視図、図４は図１の中央縦断面図に対応した縦断面図及び上下の外壁下地パネルの連結状態を示す説明図である。なお、以下の説明では、図１の建物躯体側を屋内側、外壁下地パネル側を屋外側という。
【００２０】
図において、２１は鉄筋コンクリート基礎、２２は鉄筋コンクリート基礎２１上に設置された下梁である土台で、図にはＨ形断面の鋼材を用いた場合を示してある。２５ａ，２５ｂは例えば角形断面の鋼材からなり、所定の間隔で土台２２とＨ形断面の鋼材からなる上梁である２階床梁２３との間に立設された柱で、その幅が土台２２のフランジ及び２階床梁２３のフランジの幅より狭く形成されている。寸法構成の一例としては土台及び梁のフランジ幅は１００ｍｍであり、柱の径は７５ｍｍである。
【００２１】
１は隣接する柱２５ａ，２５ｂとの間に形成された間口の屋外側に設置された下階の外壁下地パネル（以下、下地パネルという）で、その幅は柱２５ａ，２５ｂの中心部の間隔に対応し、高さは鉄筋コンクリート基礎２１の上面又はその近傍から、２階床梁２３の上面より若干上方に達する高さとなっている。２ａ，２ｂはその屋内側の面（以下、フランジという）が柱２５ａ，２５ｂに当接する位置にかつ両側に張出すように配設された例えば断面Ｌ字状の鋼材からなる縦胴縁で、土台２２の上面又はその近傍から２階床梁２３の下面又はそれより若干低い高さに形成されている。
【００２２】
３はその両端が縦胴縁２ａ，２ｂに固定された木材からなる矩形断面の複数の横胴縁で、縦胴縁２ａ，２ｂの上端部と下端部及びその間に所定の間隔でビス、釘等により固定されている。横胴縁３の間隔は原則として一定であるが、下地パネル１の高さによって一定の間隔で割り切れない場合には、一部の間隔を狭く又は広くしてもよく、このような調整は上部又は下部で行うと全体としての整合をとり易い。
このように、横胴縁３の配置ルールを明確にすることにより、横胴縁３の配置方法自体は柱２５ａ，２５ｂの高さに依存しなくなるため、あらゆる高さの柱２５ａ，２５ｂに対して共通の設計ルールを適用することができるので、設計の手間が解消される。
【００２３】
また、パネル幅方向の寸法は、間口を形成する柱２５ａ，２５ｂの中心部の間隔から、隣接して設置されるパネルとのクリアランスと、縦胴縁２ａ，２ｂのフランジ幅を引いた寸法である。例えば、柱２５ａ，２５ｂの中心間距離が９１０ｍｍで、隣接するパネルとのクリアランスを１０ｍｍ、縦胴縁２ａ，２ｂのフランジ幅を１５ｍｍとした場合では８７０ｍｍとなる。横胴縁３の屋内側面と縦胴縁２ａ，２ｂのフランジの屋内側面とは同一平面上に位置する。なお、以下の説明では、最上部の横胴縁３を上部横胴縁３ａ、最下部の横胴縁３を下部横胴縁３ｂと記すことがある。
【００２４】
４は縦胴縁２ａ，２ｂと横胴縁３に囲まれた領域内に、その屋外面を横胴縁３の屋外面と同一平面上に位置させて取付けられた板状の断熱材である。なお、断熱材４はプラスチック系断熱材がより望ましい。また、温暖地域の場合は木材と置換してもよいし、木材と断熱材を層状に重ねてもよい。
【００２５】
５は縦胴縁２ａ，２ｂのウェブ、横胴縁３及び断熱材４の屋外側に取付けられた合板で、その幅は横胴縁３のパネル幅方向の寸法とほぼ等しければよい。高さは鉄筋コンクリート基礎２１の上面又はその近傍から、２階の床梁２３の上面より上方に達する高さに形成されており、縦胴縁２ａ，２ｂ及び上部横胴縁３ａ、下部横胴縁３ｂの上下端部からそれぞれ突出した形態で横胴縁３に取り付けられる。合板５の下端部は、下部横胴縁３ｂ（後述の下部支持部材９ｂを含む）を土台２２の上面に載置したときに、鉄筋コンクリート基礎２１の上面又はその近傍に位置し、上端部は２階の床梁２３の上面より若干上方に位置する。上端部横胴縁３ｃとの納まり関係は後述する。この合板５には、合成樹脂板、合板等の木質系ボード、シンジングボード等の繊維系ボード等が使用され、完全耐水合板であると耐久性上より好ましい。
【００２６】
４ａは下部横胴縁３ｂの下面に接して合板５に取付けられた、断熱材４と同じ厚み又はそれ以下の厚みの断熱材である。幅は横胴縁３及び合板５より広くなっており、縦胴縁２ａ，２ｂのフランジの両外縁端部に達する大きさに形成されている。この部分は、温暖地域の場合は木材と置換しても良いし、木材と断熱材を層状に重ねても良い。
４ｂは上部横胴縁３ａの上面に接して合板５に取付けられた断熱材で、その厚みは断熱材４とほぼ等しく、幅は断熱材４ａと同様に縦胴縁２ａ，２ｂのフランジの両外縁端部に達する大きさに形成されている。
断熱材４ａ、４ｂの厚みは、横胴縁３の厚み（縦胴縁２ａ，２ｂのウェブのせい方向）より薄く、かつ、その厚みの差は，柱２５ａ，２５ｂと土台２２のフランジ及び２階床梁２３のフランジにより生じる段差の大きさと等しいか又はこれより大きく形成されている。このため、断熱材４ａ、４ｂの屋内側面は横胴縁３の屋内側面より屋外側に位置し、かつ、土台２２のフランジ及び２階床梁２３のフランジと干渉しない。
なお、以下の説明では、断熱材４ａ，４ｂを単に断熱材４と記すことがある。
【００２７】
３ｃは横胴縁３と同じ寸法の上端部横胴縁で、その両端部には縦胴縁２ａ，２ｂと同じ断面形状で長さが上端部横胴縁３ｃの高さとほぼ等しい固定部材６ａ，６ｂが取付けられており、断熱材４ｂの上面に接して他の横胴縁３と同様の形態で合板５に取付けられている。そして、当該上端部横胴縁３ｃ（後述の支持部材９ａを含む）により２階床梁２３の上面に係止する係止部７が形成される。なお、合板５の上端部は、上端部横胴縁３ｃの高さのほぼ中間部に位置しており、後述の上階の下地パネル１１の合板５の下端部を延長して設けた係止部１２が係止する係止部８が形成されている。
【００２８】
９ａ，９ｂは上端部横胴縁３ｃと下部横胴縁３ｂの下面において、断熱材４ａ，４ｂの屋内側に設けられた上部支持部材及び下部支持部材である（以下、単に支持部材９と記すことがある）。両支持部材９ａ，９ｂは、柱２５ａ、２５ｂ、間柱３０ｂ及びその取り付け用の金物等と干渉しない限り、図２に示すような形式でもよく、あるいは左右それぞれ分割して複数設けても良い。支持部材９の材料は木材、鋼材、合成樹脂等、下地パネル１及び後述の仕上げ材１４の荷重を長期にわたって負担可能なものがより望ましい。なお、この支持部材９ａ，９ｂは下部横胴縁３ｂあるいは上端部横胴縁３ｃを直接土台２２の上フランジ及び２階床梁２３の上フランジに配置する場合には必須のものではなく、省略してもよい。１０は合板５の屋外側面の幅方向のほぼ中央部において、上下方向に連続して設けられた通気用縦胴縁である。
上記のように構成した１階の下地パネル１において、剛性を有する縦胴縁２ａ，２ｂと、上端部横胴縁３ｃに設けた剛性を有する固定部材６ａ，６ｂとは非連続であり、上部横胴縁３ａ上面から上端部横胴縁３ｃ下面までの範囲は、若干の可撓性を有している。
【００２９】
２階の下地パネルを図３に示す。なお、１階の下地パネル１と同じ部分にはこれと同じ符号を付し、説明を省略する。２階の下地パネル１１は、合板５の下端部を下部横胴縁３ｂの下面から下階の下地パネル１の上端部横胴縁３ｃの高さのほぼ中間部まで下方に突出させて１階の下地パネル１の上部に設けた係止部８に係止する係止部１２が形成されており、この部分には断熱材は設けられていない。
また、上端部横胴縁３ｃは、断熱材４ｂとほぼ等しい厚み及び幅に形成されており、その屋内側面は断熱材４ｂの屋内側面とほぼ同一平面上に位置する。そして、合板５の上端部は上端部横胴縁３ｃの上面からさらに突出し、上端部横胴縁３ｃとで係止部１３を形成する。なお、２階の下地材パネル１１には、支持部材は設けられていない。ここでは，２階建ての場合の例を示したが，３階建て以上の場合は、１階は２階建ての場合と同様に下地パネル１を用い、最上階はここで述べた２階下地パネル１１を用い、その他の中間階については、下地パネル１１の上端部の係止部１３の形状を下地パネル１の上部に設ける係止部８に置き換えて用いれば良い。
【００３０】
次に、上記のように構成した本実施の形態の施工手順の一例について説明する。
図５に示すように、鉄筋コンクリート基礎２１上には、土台２２、柱２５ａ，２５ｂ、２階床梁２３、上柱２６ａ，２６ｂ及び天井梁２４が設置されており、柱２５ａ，２５ｂ及び上柱２６ａ，２６ｂの屋外側面の幅方向のほぼ中央部の上下方向には、所定の間隔でタッピンねじ用の複数の先穴（図示せず）が設けられている。また、天井梁２４の上面には、その長手方向に一部が屋外側に突出した垂木受材２７が取付けられており、この垂木受材２７の屋外側への突出長は、上階の下地パネル１１の上端部横胴縁３ｃの幅に対応する。
【００３１】
先ず、図４（ａ）、図５（ａ）に示すように、柱２５ａ，２５ｂの間に形成された間口の屋外側において、下階の下地パネル１の下部横胴縁３ｂを、下部支持部材９ｂを介して土台２２上に載置する。このとき、合板５の下端部は鉄筋コンクリート基礎２１の上面に当接又は近接して位置する。ついで、ここを支点としてその上部を２階床梁２３側に押圧し、上端部横胴縁３ｃを上部支持部材９ａを介して２階床梁２３の上面に係止させ、この状態で仮止めする。仮止めは粘着テープを用いても、先穴を利用してファスナーを使用して行っても良い。このとき、縦胴縁２ａ，２ｂのフランジは、その両側端部が柱２５ａ，２５ｂに設けた先穴の横（間口側）に位置して柱２５ａ，２５ｂの屋外側面に当接し、また、上端部横胴縁３ｃに設けた固定部材６ａ，６ｃのフランジは、その両側端部が上柱２６ａ，２６ｂに設けた先穴の横に位置して上柱２６ａ，２６ｂの屋外側面に当接する。なお、縦胴縁２ａ，２ｂのフランジだけでなく、横胴縁３の両端部も柱２５ａ、２５ｂの屋外側面に当接するようにすると、耐風性能上より好ましい。このように、下階の下地パネル１の施工にあたっては、下部支持部材９ｂを含む下部横胴縁３ｂを土台２２上に載置するようにしたので、位置決め及び取付作業がきわめて容易である。
【００３２】
次に、図５（ｂ），（ｃ）に示すように、上階の下地パネル１１の係止部１２を下階の下地パネル１の係止部８に係止させると共に、その下部横胴縁３ｂを下階の下地パネル１の上端部横胴縁３ｃ上に載置して上階の下地パネル１１の上部を天井梁２４側に押圧し、図６（ａ），（ｂ）に示すように、その係止部１３を垂木受材２７に係止させ、仮止めする。このとき、縦胴縁２ａ，２ｂのフランジは、その両側端部が上柱２６ａ，２６ｂに設けた先穴の横に位置して上柱２６ａ，２６ｂの屋外側面に当接する。また、合板５の上部は垂木受材２７の屋外側面に当接し、上端部横胴縁３ｃは垂木受材２７の下に位置して天井梁２４に当接する。上端部横胴縁３ｃは、垂木受材２７とクリアランスを設けておくと施工しやすい。この場合も上階の下地パネル１１の係止部１２を下階の下地パネル１の係止部８に係止させると共に、その下部横胴縁３ｂを上端部横胴縁３ｃ上に載置するようにしたので、位置決め及び取付作業がきわめて容易である。
【００３３】
建物の施工にあたっては、躯体の寸法に若干の増減を生じることがあるため、この場合、下階の下地パネル１の上端部横胴縁３ｃを、その下面が２階床梁２３の上面より若干上方に位置するように製作する方が安全である。施工誤差により、上端部横胴縁３ｃの下面が、２階床梁２３の上面より低い位置となった場合には、下地パネル１の施工にあたって、上端部横胴縁３ｃを２階床梁２３の上面に係止させて設置する。この場合、下階の下地パネル１の下部横胴縁３ｂ下部の下部支持部材９ｂと土台２２上面には若干の隙間が生ずる。
【００３４】
剛性の縦胴縁２ａ，２ｂと、上端部横胴縁３ｃに設けた剛性の固定部材６ａ，６ｃとは非連続であり、このため、上端部横胴縁３ｃの下面を２階床梁２３の上面より若干高い位置に設けておいた場合、上部横胴縁３ａの上面から上端部横胴縁３ｃの下面までの範囲は、若干の可撓性を有しているため、上階の下地パネル１１を設置したときに、図７に示すように、上端部横胴縁３ｃと上部横胴縁３ａの間がたわんで、上端部横胴縁３ｃの下面（上部支持部材９ａを設けた場合は、その下面）を、２階床梁の上面に当接させることができる。また、施工誤差により、上端部横胴縁３ｃの下面が、２階床梁２３の上面より低い位置となった場合には、下地パネル１の施工にあたって、上端部横胴縁３ｃを２階床梁２３の上面に係止して設置する。この場合、下階の下地パネル１の下部横胴縁３ｂ下部の、下部支持部材９ｂと土台２２上面には若干の隙間が生ずるが、後述するように、縦胴縁２ａ，２ｂは構造上上下移動に対して自由な固定方法を採用しており、上部横胴縁３ａの上面から上端部横胴縁３ｃの下面までの範囲は、若干の可撓性を有しているため、仕上げ材１４の荷重がかかった場合に、下部横胴縁３ｂの下部の下部支持部材９ｂと土台２２の上面は密着するようになる。
【００３５】
次に、図８（ａ）に示すように、柱２５ａ，２５ｂに設けた先穴に対応した位置において、隣接する下階の下地パネル１の縦胴縁２ａ，２ｂの両フランジに掛け渡される固定用押え座金１７を介して下穴にタッピンねじ１６又はボルトを螺入し、下地パネル１を柱２５ａ，２５ｂに固定するとともに、固定部材６ａ，６ｂを上柱２６ａ，２６ｂに同様に固定する。同様にして、上階の下地パネル１１も上柱２６ａ，２６ｂに固定する。
【００３６】
ここで、下地パネル１は土台２２上に載置するだけで固定していないため、固定用押え座金１７の幅方向の寸法を、隣接する下地パネル１の縦胴縁２ａ，２ｂのウェブ間の距離とほぼ等しく設定しておくことにより、タッピンねじ１６又はボルトの螺入により下地パネル１の水平方向の位置決めを精度よく自動的に行うことができる。
固定箇所は、在来工法による横胴縁の固定と同様に、各横胴縁３の位置ごとに固定してもよいが、縦胴縁２ａ，２ｂの材質と大きさを適切に選択することにより、一部を省略することができる。例えば、各階の柱高さが２７００ｍｍ前後の３階建て程度の規模の場合、縦胴縁２ａ，２ｂのサイズをＬ−４５×１５×１．６とすれば、高さ方向に４箇所固定することにより所定の耐風性能が得られる。この状態において、下階の下地パネル１にかかる鉛直荷重は下部横胴縁３ｂ下部の下部支持部材９ｂを介して土台２２が負担し、上階の下地パネル１１の鉛直荷重は上端部横胴縁３ｃを介して２階床梁２３が負担する。
【００３７】
上記のようにして、下階と上階の下地パネル１，１１を柱２５ａ，２５ｂと上柱２６ａ，２６ｂに固定し、隣接する下地パネル１間の屋外側の空隙部に跨がる通気用縦胴縁１０により固定するが、必要に応じて図８（ｂ）に示すように、当該空隙部に断熱材１８を充填してもよい。これにより、隣接する縦胴縁２ａ，２ｂのフランジの間の空隙部からの水分の侵入を防止すると共に、気密性、断熱効果を高めた下地パネルの取り付けが終了する。
【００３８】
最後に、図６（ｃ）に示すように、下階及び上階の下地パネル１，１１の屋外側に、通気用縦胴縁１０を介して例えばサイディング等の仕上げ材１４を取付ければ、外壁の施工が終了する。このとき、通気用縦胴縁１０を設けたことにより、合板５と仕上材１４との間に通気スペース１５が形成される。
【００３９】
上記のように構成した本実施の形態においては、一対の縦胴縁２ａ，２ｂの間の上下方向に複数の横胴縁３を設け、この横胴縁３の間にその屋内側面を縦胴縁２ａ，２ｂの屋内側面から屋外側に後退して位置させて断熱材４を取付け、これら縦胴縁２ａ，２ｂ、横胴縁３及び断熱材４の屋外側に縦胴縁２ａ，２ｂより高さの高い合板５を取付けて、下部横胴縁３ｂの下部に断熱材４と同じ厚み以下の断熱材４ａを設け、上部横胴縁３ａの上部に断熱材４と同じ厚みを有すると共に、縦胴縁２ａ，２ｂの両外縁端部まで幅が延長された断熱材４ｂ及びこの断熱材４ｂ上に接して、横胴縁３と同じ寸法であり、他の横胴縁３と同様の形態で合板５に取付けられる上端部横胴縁３ｃを設けて、下部横胴縁３ｂを土台２２上に載置すると共に、上端部横胴縁３ｃを２階床梁２３に係止させて、横胴縁３や縦胴縁２ａ，２ｂに貫通穴を設けずに、柱２５ａ，２５ｂの屋外側中央に位置し、横胴縁３の数量より少ない数量だけ設けた先穴に、タッピンねじ１６等を用いて、固定用押え座金１７によって、隣接する縦胴縁２ａ，２ｂフランジを一体に押さえつけて柱２５ａ，２５ｂに固定するようにしたので、従来技術のように多くの間柱３０を設ける必要がなく、その上施工が容易なためコストを大幅に低減することができる。
【００４０】
また、合板５を屋外側に設け、通気用縦胴縁１０により隣接するパネル同士を接続する事により気密シートによる気密施工が不要になり、施工が容易になるばかりでなく、内部への水分の侵入防止、気密の確保、通気効果の確保も確実になるため、建物の居住性や耐久性を向上させることができる。
さらに、下階の下地パネル１の上端部と、上階の下地パネル１１の下端部に係止部８，１２を設け、施工にあたってこれら係止部８，１２を係止させるようにしたので、内部へ水分侵入防止、気密の確保を確実に行うことができる。
【００４１】
［実施の形態２］
図９（ａ）は本発明の実施の形態２に係る下階の下地パネルの屋内側の斜視図である。なお、実施の形態１の下階の下地パネルと同一又は相当部分にはこれと同じ符号を付し、説明を省略又は簡略化する。
【００４２】
本実施の形態においては、合板５の高さを鉄筋コンクリート基礎２１の上面又はその近傍から、２階床梁２３の上面より若干低い高さに形成すると共に、縦胴縁２ａ，２ｂの上端部に設けた断熱材４ｂの高さを若干低くして、その上面に断熱材４ｂと同じ長さで固定部材６ａ，６ｂが設けられていない上端部横胴縁３ｃを設け、その屋外側に係止部８を設けたものである。そして、この上端部横胴縁３ｃは、その厚みを断熱材４ｂの厚みとほぼ等しく形成して、その屋内側面を断熱材４ｂの屋内側面と同一平面上に位置させたものである。なお、上端部横胴縁３ｃは、断熱材４の幅と同じ長さにしてもよい。
【００４３】
上記のように構成した本実施の形態に係る下階の下地パネル１の施工方法は、実施の形態１の下地パネル１の施工方法とほぼ同様であるが、下階の下地パネル１の下部横胴縁３ｂを土台２２上に載置し、柱２５ａ，２５ｂに沿って設置したときに、上端部横胴縁３ｃは、図９（ｂ）に示すように、２階床梁２３の屋外側に当接又は近接し、その上面が２階床梁２３の上面とほぼ一致する。
【００４４】
上階の下地パネル１１は、実施の形態１の下地パネル１１と同様の構造のもので、図９（ｃ）に示すように、その下端部に設けた係止部１２を下階の下地パネル１の上端部に設けた係止部８に係止させ、下部横胴縁３ｂを２階床梁２３の上に載置して設置する。このとき、下階の下地パネル１の上端部横胴縁３ｃは、２階床梁２３の屋外側に当接又は近接すると共に、上階の下部横胴縁３ｂの下面に当接する。
【００４５】
この場合、下階の下地パネル１の上端部横胴縁３ｃを、その上面が２階床梁２３の上面より高い位置になるように設けておけば、建物躯体の寸法に若干相違があっても、上部横胴縁３ａから上方には剛性を有する縦胴縁２ａ，２ｂが存在しないので、上階の下地パネル１１を設置すると、断熱材４ｂ及び合板５が図７で説明した場合と同様に若干たわんで、上端部横胴縁３ｃの上面を２階床梁２３の上面と一致させることができる。また、施工誤差等により上端部横胴縁３ｃの上面が２階床梁２３の上面より若干低い場合でも、係止部１２の合板５が下階の下地パネル１の上端部に設けた係止部８に係止可能であるため、所定の気密性能を確保できる。また、この場合、上階パネル１１の下部横胴縁３ｂは２階床梁２３の上に直接載置して設置されるので、上階パネル１１にかかる鉛直荷重は、下部横胴縁３ｂを介して２階床梁２３に直接伝達される。
本実施の形態においても、実施の形態１の場合とほぼ同様の効果を得ることができる。
【００４６】
［実施の形態３］
図１０は本発明の実施の形態３に係る下階の下地パネルの屋内側の斜視図である。なお、実施の形態１と同一又は相当部分にはこれと同じ符号を付し、その説明を省略又は簡略化する。
本実施の形態は、実施の形態１における左右の縦胴縁２ａ，２ｂの長さを、下地パネル１の下端部から上端部横胴縁３ｃの上面までの高さの範囲まで形成し、下部横胴縁３ｂの下面から下地パネル１の下端部の範囲及び上部横胴縁３ａの上面から上端部横胴縁３ｃの下面までの範囲で、当該縦胴縁２ａ，２ｂのフランジ及びウェブの屋外側を、少なくとも柱２５ａ、２５ｂの屋外側面から土台２２あるいは２階床梁２３のフランジ端部に相当する範囲まで、それぞれ切除し、この部分に断熱材４ａ，４ｂをそれぞれ取付けたものである。なお、縦胴縁２ａ，２ｂの上端部において上端部横胴縁３ｃに取り付けるとともに、上柱２６ａ，２６ｂに固定する固定部２ｃ，２ｄを形成した。
このように、本実施の形態に係る下階の下地パネル１は、上下方向の全長にわたって、縦胴縁２ａ，２ｂにより剛性が付与されている。
【００４７】
本実施の形態における上階の下地パネルは、実施の形態１の上階の下地パネル１１とほぼ同じ構造であるが、縦胴縦２ａ，２ｂが上端部横胴縁３ｃの上面の高さまで延長され、当該縦胴縦２ａ，２ｂの上部横胴縁３ａの上面よりも上部のフランジとウェブを、少なくとも柱２６ａ、２６ｂの屋外側面から天井梁２４のフランジ端部に相当する範囲まで切除し、この部分に断熱材４ｂを取り付けるとともに、上端部に上端部横胴縁３ｃが取付けられている。
【００４８】
上記のように構成した本実施の形態の施工手順は、実施の形態１の場合とほぼ同様であるが、縦胴縁２ａ，２ｂの長さによりパネル全体の高さが管理できるため、寸法管理が容易になり、また、全体に剛性が付与されているので、取扱いや運搬がより容易である。なお、施工にあたっては、縦胴縁２ａ，２ｂのフランジ及びウェブの屋内側の一部を切除したので、土台２２や２階床梁２３に干渉することがない。
【００４９】
［実施の形態４］
図１１は本発明の実施の形態４に係る下階の下地パネルの屋内側の斜視図である。なお、実施の形態３と同じ部分にはこれと同じ符号を付し、説明を省略又は簡略化する。
本実施の形態は、実施の形態３における固定部２ｃ，２ｄを省略してフランジ及びウェブを上端部まで切除すると共に、上端部横胴縁３ｃの屋内側面を断熱材４ｂの屋内側面と同一平面上に位置させたものである。なお、上階の下地パネルは実施の形態３の下地パネル１１と同じ構造である。
【００５０】
本実施の形態の施工手順は実施の形態２の場合とほぼ同様であり、その効果も実施の形態２及び３の場合とほぼ同様である。
【００５１】
［実施の形態５］
図１２は本発明の実施の形態５に係る下地パネルの屋内側からみた斜視図、図１３は図１２の屋外側からみた分解斜視図である。なお、実施の形態１と同じ部分にはこれと同じ符号を付し、説明を省略又は簡単に行う。
両図において、３ｃは上部横胴縁３ａの上面で、屋外側を同一平面上に位置させて取付けた上端部横胴縁で、その長さは上部横胴縁３ａの長さより長く、縦胴縁２ａ，２ｂの両端部近傍まで延長されており、奥行き方向の厚みは断熱材４の板厚とほぼ等しく形成されている。３ｄは上端部横胴縁３ｃと同じ形状の下端部横胴縁で、下端部横胴縁３ｂの下面に、屋外側を同一平面上に位置させて取付けられている。なお、ここでは、上端部横胴縁３ｃと下端部横胴縁３ｄを縦胴縁２ａ，２ｂの両側端部近傍まで延長した場合を示したが、横胴縁３と同じ長さにしてもよい。
【００５２】
１９は鋼材からなる断面Ｌ字状の支持部材で、図１５に示すように、下端部横胴縁３ｄの屋内側にその水平片が下端部横胴縁３ｄの下面と同一平面上に位置するように、ビス、釘、接着剤等により取付けられている。
この支持部材１９は、図には下端部横胴縁３ｄと同じ長さのものが示してあるが、柱２５ａ，２５ｂや接合金物３２ａ，３２ｂと干渉しないように、複数に分割してもよく、あるいは下端部横胴縁３ｄより短かいものを取付けてもよい。また、下端部横胴縁３ｄを省略して下部横胴縁３ｂに取付けてもよく、さらに、材料や形状も上記のものに限定するものではなく、ほぼＺ形状の鋼材や合成樹脂、木材等、必要な強度、形状を有するものであればよい。
【００５３】
上記のように構成した本実施の形態に係る下地パネル１の施工にあたっては、図１４に示すように、先ず、支持部材１９を土台２２上に載置する。ついで支持部材１９を支点としてその上部を２階床梁２３側に押圧して立設し、縦胴縁２ａ，２ｂのフランジを柱２５ａ，２５ｂの屋外側面に当接し、仮止めする。このとき、上端部横胴縁３ｃは２階床梁２３の下部に位置する。
【００５４】
次に、下地パネル１と同じ構造の上階の下地パネル１１の支持部材１９を２階床梁２３上に載置し、同様に立設してその縦胴縁２ａ，２ｂのフランジを上柱２６ａ，２６ｂの屋外側面に当接し、仮止めする。このとき、土台２２と２階床梁２３の屋外側には空間部が形成される（なお、階下と上階の下地パネル１，１１は同じ構造なので、以下の説明では、両者を含めて下地パネル１と記すことがある）。
この状態で、実施の形態１の場合と同様に、図８に示すように、下地パネル１の縦胴縁２ａ，２ｂをタッピンねじ１６等により柱２５ａ，２５ｂ、上柱２６ａ，２６ｂにそれぞれ固定する。
ついで、土台２２と２階床梁２３の屋外側に形成された空間部に、屋外側から断熱材４ｃを挿入し、取付ける。なお、この断熱材４ｃの取付作業は、下地パネル１の取付前又は取付後のいずれでもよいが、土台２２側を先に、２階床梁２３側を後にした方が施工が容易である（なお、図１４には、下地パネル１の屋外側に取付ける合板５、通気用縦胴縁１０及び仕上材１４は省略してある）。本実施の形態においては、鉛直荷重は支持部材１９によって土台２２及び２階床梁２３に伝達される。
【００５５】
［実施の形態６］
図１６は本発明の実施の形態６に係る下地パネルの要部の斜視図である。本実施の形態は、図１６（ａ）に示すように、下端部横胴縁３ｄの屋内側に、下方に延設された合板２０ａ（延出長は土台２２、あるいは２階床梁（上梁）２３のせいとほぼ等しい）を取付けてＬ字状に形成し、図１６（ｂ）に示すように、下端部横胴縁３ｄの下面と合板２０ａの屋外側とで形成する領域（以下、開口領域という）に断熱材４ｄを装着して、断熱材取付用端部部材２０（以下、断熱端部部材という）を構成し、下地パネル１の下部横胴縁３ｂの下面に取付けたものである。
【００５６】
上記のような断熱端部部材２０を備えた下地パネル１の施工にあたっては、図１７に示すように、断熱端部部材２０の下端部を鉄筋コンクリート基礎２１上に載置して立設し、合板２０ａを土台２２の屋外側に当接すると共に、縦胴縁２ａ，２ｂのフランジを柱２５ａ，２５ｂの屋外側面に当接し、仮止めする。また、上階の下地パネル１の断熱端部部材２０の下端部を、下階の下地パネル１の上端部横胴縁３ｃ上に載置して立設し、合板２０ａを２階床梁２３の屋外側に当接すると共に、縦胴縁２ａ，２ｂのフランジを上柱２６ａ，２６ｂの屋外側面に当接し、仮止めする。
そして、縦胴縁２ａ，２ｂを柱２５ａ，２５ｂ、上柱２６ａ，２６ｂにタッピンねじ１６等により固定する。本実施の形態においては、鉛直荷重は主として合板２０ａにより鉄筋コンクリート基礎２１に伝達される。
【００５７】
図１８は本実施の形態の他の例を示すもので、本例においては、断熱端部部材２０の合板２０ａの屋内側の下端部横胴縁３ｄに対応する位置に、実施の形態５で説明したＬ字形の支持部材１９を取付けたものである。
そして、この支持部材１９を土台２２、２階床梁２３上に載置することにより、鉛直荷重はこの支持部材１９から土台２２、２階床梁２３に伝達される。
【００５８】
本実施の形態に係る断熱端部部材２０に用いる合板２０ａは複数に分割してもよく、あるいは下端部横胴縁３ｄより短かいものを取付けてもよい。また、下端部横胴縁３ｄを省略して下部横胴縁３ｂに取付けてもよい。
さらに、上記の説明では、下端部横胴縁３ｄと合板２０ａで形成された開口領域にあらかじめ断熱材４ｄを装着した断熱端部部材２０を下地パネル１の下端部に取付けた場合を示したが、上端部においても上端部横胴縁３ｃと合板２０ａにより同様に構成した断熱端部部材２０を取付けることもできる。屋内側に合板２０ａが取付けられた下端部横胴縁３ｄを下地パネル１の下端部に取付けておき、下地パネル１を柱２５ａ，２５ｂ（上柱２６ａ，２６ｂ）に固定したのち、上記の開口領域に断熱材４ｄを取付けてもよく、上端部にも同様に取付けてもよい。
【００５９】
本実施の形態は、断熱端部部材２０を、下端部横胴縁３ｄ（以下、下部横胴縁３ｂを含むものとする）とこれに取付けた合板２０ａを下地パネル１の下端部に取付けて、下地パネル１の施工後に下端部横胴縁３ｄと合板２０ａとによって形成された開口領域に断熱材４ｄを装着し、又はあらかじめ前記開口領域に断熱材４ｄが装着された断熱端部部材２０を下地パネル１，１１の下端部に取付けるようにしたので、Ｈ形断面の土台２２や２階床梁２３の屋外側に容易に断熱材４ｄを装着することができる。下地パネル１，１１の上端部に取付けた場合も同様である。この場合、開口領域の奥行を調整することにより、任意板厚の断熱材４ｄを下地パネル１の屋外面と同一平面に施工することができる。なお、実施の形態５，６においては、下階の下地パネルと上階の下地パネルに同じ構造のものを使用できるので、下地パネルを標準化し、部品点数を減らすことができる。
【００６０】
上述の実施の形態５，６においては、下地パネル１の縦胴縁２ａ，２ｂ、横胴縁３及び断熱材４で構成される部分（以下、パネル本体という）は、柱高さが各階同じであれば共通であるため、上端部横胴縁３ｃ、下端部横胴縁３ｄ及び断熱端部部材２０の組み合わせにより、上述の組み合わせ以外の種々のパターンの下地パネルを構成することができる。
実施の形態５，６では、上下階の下地パネル１が同じ構成の場合を示したが、例えば１階の下地パネル１を図１８で示した形態とし、２階の下地パネル１１を図１４で示した形態にするなど、上下階の下地パネル１，１１の形態を変えても良い。
【００６１】
また、パネル本体の上下端部分に取付ける部材を適切に選択することにより、下地パネル１の標準化率を大幅に向上させ、部品点数を減らすことができる。代表的な構成例を挙げると、図１４に示すパネル本体に上端部横胴縁３ｃ及び下端部横胴縁３ｄを取付けた場合や、図示しないが、パネル本体の上部に断熱端部部材２０を取付け、かつ、下端部横胴縁３ｄを取付けた場合は、開口部を除き、オーバーハング、セットバックも含めて、すべての下地パネルを各階共通とすることができる。これにより、必要な下地パネルの種類が大幅に削減されるため、標準化率の向上による管理及びコスト削減効果がより大きくなる。
【００６２】
［実施の形態７］
実施の形態１〜６では、下地パネル１，１１の横胴縁（以下、上部横胴縁３ａ、下部横胴縁３ｂを含む）に矩形断面の木材を用いた場合を示したが、本発明はこれに限定するものではなく、凸形断面、Ｈ形断面その他の形状の横胴縁３を用いることができる。
例えば、横胴縁３に凸形断面の木材を使用した場合は、切込み部（以下、突部という）の高さを断熱材４の厚みと等しく、突部を屋外側として縦胴縁２ａ，２ｂと枠組を構成する。そして、屋外側から隣接する横胴縁３の突部の間に断熱材４を嵌め込み、その上に合板５を取付ければ、断熱材４を枠組内で接着や固定部材等の固定手段を用いることなく保持することができ、施工後に断熱材４が脱落するおそれもない。
【００６３】
また、横胴縁３の材料は断熱性能上木材が好ましいが、断熱性能上の問題がなければ他の材料を用いてもよく、例えば鋼材等であっても、屋外側に露出しない形状や取付方法にしたり、他の材料と組合わせて断熱性能上問題ない構造とすることにより使用することができる。
【００６４】
［実施の形態８］
実施の形態１〜６では、横胴縁３と断熱材４の屋外側に合板５を取付けた場合を示したが、合板５に代えて、図１９に示すように、例えばポリエチレン、ポリエステル等からなる吸放湿性あるいは透湿性を有する防水シート５ａ（以下、前面被覆材という）を用いてもよい。
この前面被覆材５ａは下地パネル１の施工後に現場で取付けてもよいが、あらかじめ下地パネル１に取付けておくと、現場施工の合理化がはかられるばかりでなく、運搬中や施工中の断熱材４の脱落を防止することができる。
【００６５】
前面被覆材５ａをあらかじめ下地パネル１に取付けておく際に、前面被覆材５ａを下地パネル１より大きくし、施工された上下左右に隣接する下地パネル１に設置された前面被覆材５ａを互いに重ね合わせるようにすると、気密処理が容易になる。
前面被覆材５ａの下地パネル１への止め付けは、例えばタッカー釘等を用いる。止め付け位置は、少なくとも下地パネル１の両側部近傍とするが、隣接する下地パネル１の相互の前面被覆材５ａの重ね合わせが可能なように、両側部から重ね代を考慮した寸法分内側の位置とすることが望ましい。
【００６６】
上下方向の前面被覆材５ａの重ね方は、下階の下地パネル１の前面被覆材５ａの上部を、上階の下地パネルの下端部横胴縁３ｄの上面より高くなる長さとし、上階の下地パネル１１の前面被覆材５ａの下部は必要な重ね代を確保できる長さとする。この場合、上下階の前面被覆材５ａの接続は、下階の前面被覆材５ａの上部を上階の下地パネル１１の下端部横胴縁３ｄにタッカー釘で止め付け、ついで、上階の前面被覆材５ａの下部を重ねるようにする。上階の下地パネル１１の前面被覆材５ａを下階の下地パネル１の上端部横胴部３ｃに到達させる方法も可能であるが、上記のようにすれば、上部梁部分の前面被覆材５ａの納まりが、中間階、最上階の別なく同じにできるので、標準化の観点からより好ましい。
【００６７】
前面被覆材５ａの具体的寸法は、例えば、上部は上階の下地パネルの下端部横胴縁３ｄの上面までの長さ、下部は土台２２又は２階床梁２３のせいの長さとすればよい。なお、重ねた前面被覆材５ａの端部は、シーリング材、気密テープ止め等の手段により隙間のない処理とする。この場合、通気工法とするために前面被覆材５ａの屋外側に通気用縦胴縁１０を設ける場合は、左右の隣接する下地パネルの前面被覆材５ａ間の端末処理を省略してもよい。
【００６８】
次に、通気用縦胴縁１０の取付けについて説明する。下地パネル１に通気用縦胴縁１０を取付ける場合は、下部横胴縁３ｂの下面又は下端部近傍から上部横胴縁３ａまでの長さのものを、下地パネル１の幅方向の任意の位置（多くはほぼ中央部）に取付ける。取付けにあたっては現場で行ってもよいが、工場等における下地パネル１の製作段階で、合板５又は表面被覆材５ａの上から各横胴縁３に固定しておくことが、下地パネル１の強度上及び現場施工の省力化の面から望ましい。
【００６９】
その他の部分（多くは隣接する下地パネル１の間）については、上下階の下地パネル１，１１及び梁部の断熱材４ｃを建物躯体に取付けたのち、上階がある場合の下地パネル１，１１については、下部横胴縁３ｂの下面又は下端部近傍から上階の下地パネル１１の下端部横胴縁３ｄの上面までの長さの通気用縦胴縁１０を、隣接する下地パネル１の縦胴縁２ａ，２ｂを跨いで配設し、各横胴縁３、上下端部横胴縁３ｃ，３ｄ及び上階の下地パネル１１の下端部横胴縁３ｄに固定する。上階のない場合の下地パネル１については、下部横胴縁３ｂの下面又は下端部近傍から上部横胴縁３ａの上面以上の長さとした通気用縦胴縁１０を、隣接する下地パネル１の縦胴縁２ａ，２ｂを跨いで配設し、各横胴縁３及び上下端部横胴縁３ｃ，３ｄに固定する。
【００７０】
上下階の下地パネル１，１１の中間に位置する梁部（上梁２３）は、断熱材４ｃを取付けたのち、上下階の下地パネル１，１１の幅方向の任意の位置に取付けられた通気用縦胴縁１０の位置に合わせて、その長さを上階の下地パネル１１の下端部横胴縁３ｄの上面から下階の下地パネル１の上端部横胴縁３ｃの下面までとした通気用縦胴縁１０を、上階の下地パネル１１の下端部横胴縁３ｄの上面から下階の下地パネル１の上端部横胴縁３ｃに固定する。
【００７１】
また、最上階に位置する梁部（天井梁２４）は、必要に応じて、上端部横胴縁３ｃから上方に延長された任意の長さの通気用縦胴縁１０を、少なくとも上端部横胴縁３ｃに固定する。
通気用縦胴縁１０を上記のように取付けることにより、通気用縦胴縁１０の標準化、取付方法のマニュアル化が容易になると共に、隣接する左右及び上下の下地パネル１，１１の一体化がはかられ、施工性及び強度が向上する。
【００７２】
【発明の効果】
請求項１に係る発明は、下梁、上梁、柱で構成され、前記柱の屋外側面が前記梁の屋外面より屋内側に配置された間口の屋外側に設置される外壁下地パネルであって、該外壁下地パネルが、前記間口の屋外側に配置されて前記柱に当接する一対の縦胴縁と、該一対の縦胴縁の間に架設された複数の横胴縁と、前記縦胴縁と横胴縁で囲まれた領域に設けられた断熱材とを備えたので、間柱等の部品点数を大幅に減らすことができ、施工が容易でコストを低減することができる。
【００７３】
請求項２に係る発明は、請求項１の縦胴縁の間に設けた最上部の横胴縁の上面と最下部の横胴縁の下面の少なくとも一方に断熱材又は上部横胴縁若しくは下部横胴縁を設けたので、上梁又は下梁の屋外側への断熱材の取付けや下地パネルの標準化を容易に行うことができる。
【００７４】
請求項３に係る発明は、請求項１の最下部の横胴縁又は該横胴縁の下面に設けた下端部横胴縁の屋内側に支持部材を設けたので、建物躯体への外壁下地パネルの位置決めが容易であり、また、鉛直荷重を下梁、上梁又は鉄筋コンクリート基礎に確実に伝達することができる。
【００７５】
請求項４に係る発明は、請求項１〜３のいずかの屋外側に合板又は前面被覆材を設けたので、断熱材を枠組内に確実に保持することができ、また、外部からの水分の浸入を防止し、室内からの水蒸気を排出することができる。
【００７６】
請求項５に係る発明は、建物躯体の下梁と上梁との間に該下梁と上梁の幅より狭い幅の複数の柱が設置されて、これら柱で形成された間口の屋外側に装着される外壁下地パネルであって、該外壁下地パネルを、前記下梁のほぼ下面あるいは上面から前記上梁のほぼ上面にわたる高さで、前記間口にほぼ対応する幅の合板と、前記合板の屋内側において前記下梁のほぼ上面から前記上梁のほぼ下面にわたる高さの範囲に設けられた複数の横胴縁と、前記合板の屋内側の上端部に設けられて前記上梁の上面に直接あるいは支持部材を介して係止し又は上梁の屋外側面に当接又は近接する上端部横胴縁と、前記横胴縁の両端部に該横胴縁の屋内側面と同一平面となるように設けられ、前記間口の屋外側に設置されて前記柱に当接する一対の縦胴縁と、前記縦胴縁と横胴縁で囲まれた領域、前記縦胴縁の下方及び上方において、その屋内側面が前記横胴縁の屋内側面より屋外側に位置して前記合板に取付けられた断熱材とによって構成したので、軽量であり、土台あるいは梁の部分も一体の断熱パネルを構成でき、かつ、間柱、受け材、あるいは当該部分の断熱材の切り欠き加工や柱部分に取り付ける段差吸収用のスペーサ等が不要となり、各々の横胴縁を柱に固定する必要が無く、更に気密シートの施工も不要となるため、従来技術と比較して部材点数減、施工工数減などにより大幅にコストダウンが可能となる。
【００７７】
請求項６に係る発明は、請求項１〜５のいずれかの縦胴縁の下端部の下面又は縦胴縁の下部に設置された横胴縁の下面を、直接または支持部材を介して下梁の上面に載置するようにしたので、施工の際の位置決め及び外壁下地パネルの取付作業が容易であるとともに、パネルにかかる鉛直荷重を直接各階の床梁あるいは土台に伝達する事ができる。
【００７８】
請求項７に係る発明は、請求項１〜６のいずれかの縦胴縁が断面Ｌ字状であって、その屋内側面が幅方向に張り出すように構成したので、隣り合うパネルの縦胴縁同士を、その間隙部に一本のタッピンねじあるいはボルト等を一つの座金を介して柱に螺入することにより、座金が双方の縦胴縁を一体に押圧可能となり、柱へ容易かつ確実に取付けることができるとともに、前記タッピンねじあるいはボルト等の頭がパネル表面より突出しないため、当該部分の通気胴縁の取り付けが容易となる。
【００７９】
請求項８に係る発明は、請求項１〜７のいずれかの断熱材の前記縦胴縁の上端部の上方または下端部の下方部分が、前記縦胴縁の外縁端間の幅とほぼ等しい幅まで拡張されているので、施工にあたって隣接する外壁下地パネルの縦胴縁のない部分の断熱材を当接又は近接して配置することができるため、断熱性能の低下が少なく、隙間充填処理も容易となる。
【００８０】
請求項９に係る発明は、請求項５〜８のいずれかの上端部横胴縁の両端部に屋内側面が上階の柱に当接する固定部材を設けたので、パネル最上部の梁を跨ぐ断熱材部分の上下の横胴縁を確実に柱に固定できるため、当該断熱材部分について、上下の横胴縁を縦胴縁で連結しなくても施工後に下地パネルの強度が十分確保できる。
【００８１】
請求項１０に係る発明は、請求項５〜８のいずれかの上下端部横胴縁のうち少なくとも一方が、縦胴縁の外縁端間の幅とほぼ等しい幅まで拡張されているので、断熱材が幅方向に拡張する場合にも、この拡張部分をしっかりと保持できる。
【００８２】
請求項１１に係る発明は、請求項５〜１０のいずれかの縦胴縁の上部に切り欠き部を設けると共に、該上部を前記合板とほぼ同じ高さまで延長したので、縦胴縁の長さによってパネル全体の高さの管理できるため、寸法管理が容易になり、また、全体に剛性が付与されているので、取扱いや運搬がより容易である。なお、施工にあたっては、縦胴縁のフランジ及びウェブの屋内側の一部を切除したので、土台や梁に干渉することがない。
【００８３】
請求項１２に係る発明は、請求項５〜１１のいずかれの下地パネルの合板又は前面被覆材の屋外側面に通気用縦胴縁を設けたので、該通気用縦胴縁の屋外側に仕上げ材を設置することにより、該仕上げ材と前記合板との間に通気用の空間を形成することができる。また、通気用縦胴縁が外壁下地パネルの補強部材としても機能するので、取扱いや運搬の管理が容易である。さらに、隣り合うパネル両端部同士で構成する空隙を被覆するようにすれば、パネル同士の接続部をより強固にすると共に気密性を確保し、通気層内の通気性を確実ならしめて、建物の居住性、耐久性を向上させることができる。
【００８４】
請求項１３又は１４に係る発明は、請求項５〜１２のいずれかの上端部横胴縁の上面が前記合板よりも上方に突出され、この突出部と合板の上端部との間に係止部を形成し、あるいは、
合板が、下端部に設置された横胴縁よりも下方に突出し、あるいは上端部横胴縁よりも上方に突出すると共に下端部に設置された横胴縁よりも下方に突出するようにし、施工にあたって上階の外壁下地材の合板の下端部を下階の外壁下地材の上部に設けた係止部に係止させるようにしたので、上下階のパネルの気密処理を確実に行うことができる。
【００８５】
請求項１５に係る発明は、請求項１〜１４のいずれかに記載の外壁下地パネルの施工方法であって、外壁下地パネルを、設置されるべき間口の屋外側において下端部に設置された横胴縁を直接又は支持部材を介して下梁上又は鉄筋コンクリート基礎上に載置する工程と、縦胴縁を柱の屋外側面に当接する工程と、前記縦胴縁を柱に固定する工程とを備えたので、施工にあたっては、上記各請求項に記載された効果を従来技術より容易に得ることができる。
【００８６】
請求項１６に係る発明は、請求項１５の縦胴縁を柱に固定する工程において、柱の屋外側面の幅方向中央部に、使用するタッピンねじあるいはボルトに応じたマークあるいは先穴を設け、前記マークあるいは先穴を中心として設置された隣り合う外壁下地パネルの一方の縦胴縁とこれに隣接する他方の縦胴縁を跨いで、幅方向の大きさを隣接するパネルの縦胴縁のウェブ間の所定の距離とほぼ等しく設定した固定用押え座金を当接し、該固定用押え座金を介してタッピンねじあるいはボルトを柱のマークあるいは先穴に各々螺入するようにしたので、水平方向の位置決めが精度よく自動的になされ、外壁下地パネルを固定するファスナーが大幅に削減でき、施工も極めて容易で、かつ確実に柱に固定することができるため、大幅にコストダウンが可能となる。
【００８７】
請求項１７に係る発明は、請求項１２の合板又は前面被覆材の屋外側に通気用縦胴縁を取付ける外壁下地パネルの施工方法であって、外壁下地パネルの幅方向の任意の位置に、その長さを下部横胴縁の下面又は下端部近傍から上部横胴縁の上面までとした通気用縦胴縁を任意の時期に各横胴縁に固定する工程と、上下階のパネルおよび梁部断熱材を建物躯体に取付けた後、上階があるパネルについて、その長さを下部横胴縁の下面又は下端部近傍から上階パネルの下端部横胴縁の上面までとした通気用縦胴縁を、隣接するパネル間に跨いで各横胴縁、上下端横胴縁及び上階パネルの下端部横胴縁に固定する工程と、上階のないパネルについて、その長さを下部横胴縁の下面から上部横胴縁の上面以上とした通気用縦胴縁を、隣接するパネル間に跨いで各横胴縁、上下端横胴縁に固定する工程と、上下階パネルの中間に位置する梁部に断熱材を取付け後、上下階パネルの幅方向の任意の位置に取付けられた通気用縦胴縁の位置に合わせて、その長さを上階パネルの下端部横胴縁の上面から下階パネルの上端部横胴縁の下面とした通気用縦胴縁を取付ける工程と、最上階に位置する梁部に断熱材を取付けた後、必要に応じて、上端部横胴縁から上部に延長された任意の長さの通気用縦胴縁を取付ける工程とを備えたので、通気用縦胴縁の標準化、取付方法のマニュアル化が容易になると共に、隣接パネル及び上下パネルの一体化が図られ、施工性及び強度が向上する。
【図面の簡単な説明】
【図１】  本発明の実施の形態１に係る下地パネルを建物躯体に取付けた状態を示す一部省略した斜視図である。
【図２】  図１の下階の下地パネルの屋内側を示す斜視図である。
【図３】  上階の下地パネルの屋内側及び屋外側を示す斜視図である。
【図４】  図１の中央断面図に対応した縦断面図である。
【図５】  実施の形態１の施工手順の説明図である。
【図６】  実施の形態１の施工手順の説明図である。
【図７】  実施の形態１の施工の一例を示す説明図である。
【図８】  下地パネルを柱に固定する状態を示す説明図である。
【図９】  本発明の実施の形態２に係る下階の下地パネルの屋内側を示す斜視図及び施工説明図である。
【図１０】  本発明の実施の形態３に係る下階の下地パネルの屋内側を示す斜視図である。
【図１１】  本発明の実施の形態４に係る下階の下地パネルの屋内側を示す斜視図である。
【図１２】  本発明の実施の形態５に係る下地パネルの屋内側を示す斜視図である。
【図１３】  図１２の屋外側を示す分解斜視図である。
【図１４】  実施の形態５の施工説明図である。
【図１５】  図１２の支持部材の斜視図である。
【図１６】  本発明の実施の形態６に係る下地パネルの一体形支持部材の斜視図である。
【図１７】  実施の形態６の施工説明図である。
【図１８】  実施の形態６の他の例の施工説明図である。
【図１９】  本発明の実施の形態８のに係る下地パネルの屋内側正面図である。
【図２０】  従来の建物躯体への外壁下地材の取付け状態を示す斜視図である。
【図２１】  図２０の建物躯体部分を示す斜視図である。
【図２２】  図２０の平断面図である。
【符号の説明】
１  下階の下地パネル
２ａ，２ｂ  縦胴縁
２ｃ，２ｄ  固定部
３  横胴縁
３ｃ  上端部横胴縁
４  断熱材
５  合板
５ａ  前面被覆材
６ａ，６ｂ  固定部材
８，１２  係止部
９ａ，９ｂ  支持部材
１０  通気用縦胴縁
１１  上階の下地パネル
１４  仕上材
１５  通気スペース
１６  タッピンねじ
１７  固定用押え座金
１８  断熱材
１９  支持部材
２０  断熱端部部材
２１  鉄筋コンクリート基礎
２２  土台（下梁）
２３  ２階床梁（上梁）
２４  天井梁
２５ａ，２５ｂ  柱
２６ａ，２６ｂ  上柱
２７  垂木受材
【図１】
0003900019.tif 000002
【図２】
0003900019.tif 000003
【図３】
0003900019.tif 000004
【図４】
0003900019.tif 000005
【図５】
0003900019.tif 000006
【図６】
0003900019.tif 000007
【図７】
0003900019.tif 000008
【図８】
0003900019.tif 000009
【図９】
0003900019.tif 000010
【図１０】
0003900019.tif 000011
【図１１】
0003900019.tif 000012
【図１２】
0003900019.tif 000013
【図１３】
0003900019.tif 000014
【図１４】
0003900019.tif 000015
【図１５】
0003900019.tif 000016
【図１６】
0003900019.tif 000017
【図１７】
0003900019.tif 000018
【図１８】
0003900019.tif 000019
【図１９】
0003900019.tif 000020
【図２０】
0003900019.tif 000021
【図２１】
0003900019.tif 000022
【図２２】
0003900019.tif 000023